(57)【要約】【課題】伝送システムにおいてバッファが輻輳した場合においても、バッファ手段を有効に活用し、データの損失を防止することが可能な伝送システムを得ること。【解決手段】伝送装置が、基地局または他の伝送装置との間で転送されるデータの入力処理および出力処理を行う手段と、通信データ入出力手段に入力されたデータの転送先を決定するための情報を保持する手段と、移動端末がパケット通信を行なわない受け待ち状態にある間、所定のバッファ容量および境界値で移動端末宛のデータを一時的に保持し、バッファ容量および境界値の変更指示に従ってバッファ容量および境界値の変更を行う手段と、バッファリング手段のバッファ容量と移動端末および無線通信エリアの優先度情報とを考慮してバッファリング手段に対してバッファ容量および境界値の変更を指示する手段と、バッファリング手段および管理手段に対する各種情報の設定を行なう手段と、を備える。【選択図】        図１
2006295609.tif 000002
【特許請求の範囲】
【請求項１】
無線ネットワークにおけるコネクション接続およびデータ転送の制御を行う複数の伝送装置と、
前記伝送装置と有線回線を介して接続され、該伝送装置とデータ通信を行う複数の基地局と、
前記基地局と無線回線を介して接続され、該基地局と移動通信可能な複数の移動端末と、
を備えて構成され、
前記伝送装置は、
前記基地局または他の伝送装置との間で転送されるデータの入力処理および出力処理を行う通信データ入出力手段と、
前記通信データ入出力手段に入力されたデータの転送先を決定するための情報を保持する転送先情報保持手段と、
前記移動端末がデータ通信を行なわない受け待ち状態にある間、所定のバッファ容量および境界値で前記移動端末宛のデータを一時的に保持し、保持するデータ量が前記所定の境界値を超過した場合に、保持するデータ量が前記所定の境界値を超過した旨の境界値超過通知を生成するとともに、バッファ容量および境界値の変更指示に従ってバッファ容量および境界値の変更を行うバッファリング手段と、
前記移動端末および前記移動端末の無線通信エリアの優先度情報を有し、前記境界値超過通知を受信した場合に前記バッファリング手段のバッファ容量と前記移動端末および無線通信エリアの優先度情報とを考慮して前記バッファリング手段に対して前記バッファ容量および境界値の変更を指示する管理手段と、
前記バッファリング手段に対する前記境界値の設定、前記管理手段に対する前記優先度情報の設定、および外部の装置との各種情報の入出力を行なう情報設定・入出力手段と、
を備えることを特徴とする伝送システム。
【請求項２】
前記バッファリング手段は、該バッファリング手段における移動端末毎のバッファ容量の使用状況を前記管理手段に通知し、
前記管理手段は、前記境界値超過通知を受信した場合に、前記バッファリング手段のバッファ容量と、前記移動端末および無線通信エリアの優先度情報と、前記移動端末毎のバッファ容量の使用状況と、を考慮して前記バッファリング手段に対して前記バッファ容量および境界値の変更を指示すること
を特徴とする請求項１に記載の伝送システム。
【請求項３】
前記伝送装置が、前記管理手段において所定の優先度が設定された前記移動端末または無線通信エリアに対するデータのコピーを保持するミラーリング部を備えること
ことを特徴とする請求項１に記載の伝送システム。
【請求項４】
前記管理手段が、前記バッファリング手段に対するバッファ容量および境界値の変更を指示する通知を重畳して行うこと
を特徴とする請求項１に記載の伝送システム。
【発明の詳細な説明】
【技術分野】
【０００１】
本発明は、伝送システムに関するものであり、特に移動端末、基地局、伝送装置を備えて構成される伝送システムであって、バッファ手段を有効に活用し、データの損失を防止することが可能な伝送システムに関する。
【背景技術】
【０００２】
従来、ネットワーク内にパケットの蓄積機能を有する装置を設けることで、移動端末宛のパケットデータをネットワーク内において蓄積し、データの消失を防止する技術が提案されている。このような従来の技術においては、データに優先度を設定し、優先度毎にデータを蓄積することで即時性の高いデータを優先的に送信することが可能である。さらに、蓄積データが割り当てられたバッファ量を超過した場合には、再送要求を送信元に要求することも可能である（たとえば、特許文献１参照）。
【０００３】
また、移動端末を利用するネットワークは、有線通信回線と無線通信回線とを用いて構成されており、無線通信回線における電波状況やデータ通信量などの外的要因情報を利用してバッファリングを行なうか否かを判断することにより、効率的なデータ送信が可能となる（たとえば、特許文献２参照）。
【０００４】
さらに、移動端末のバッファ使用状況や位置情報をネットワーク側で管理し、移動端末宛のデータ送信に利用することで移動端末のバッファ超過を防止することが可能となる（たとえば、特許文献３参照）。
【０００５】
【特許文献１】特開２００２−１７１５６６号公報
【特許文献２】特開平１１−１１３０６６号公報
【特許文献３】特開２００１−１２７８０３号公報
【発明の開示】
【発明が解決しようとする課題】
【０００６】
しかしながら、上記の特許文献１に記載された従来技術においては、移動端末毎に用意されたバッファにおいて、バッファの最大値を越えた場合にはデータが廃棄される。このため、未使用のバッファ領域が有効に活用されないという問題を有している。
【０００７】
また、上記の特許文献２に記載された従来技術においては、データ通信状況が悪化した場合にバッファリングを実施するが、悪化状態が長時間継続した場合にはバッファの状態が動的に改善しないという問題を有している。
【０００８】
さらに、上記の特許文献３に記載された従来技術においては、移動端末へのデータを蓄積する装置においてバッファが輻輳し、バッファ容量が超過した場合には、前記の特許文献２の技術と同様にバッファの状態を動的に改善しないという問題を有している。
【０００９】
本発明は、上記に鑑みてなされたものであって、伝送システムにおいてバッファが輻輳した場合においても、バッファ手段を有効に活用し、データの損失を防止することが可能な伝送システムを得ることを目的とする。
【課題を解決するための手段】
【００１０】
上述した課題を解決し、目的を達成するために、本発明にかかる伝送システムは、無線ネットワークにおけるコネクション接続およびデータ転送の制御を行う複数の伝送装置と、伝送装置と有線回線を介して接続され、該伝送装置とデータ通信を行う複数の基地局と、基地局と無線回線を介して接続され、該基地局と移動通信可能な複数の移動端末と、を備えて構成され、伝送装置は、基地局または他の伝送装置との間で転送されるデータの入力処理および出力処理を行う通信データ入出力手段と、通信データ入出力手段に入力されたデータの転送先を決定するための情報を保持する転送先情報保持手段と、移動端末がパケット通信を行なわない受け待ち状態にある間、所定のバッファ容量および境界値で移動端末宛のデータを一時的に保持し、保持するデータ量が所定の境界値を超過した場合に、保持するデータ量が所定の境界値を超過した旨の境界値超過通知を生成するとともに、バッファ容量および境界値の変更指示に従ってバッファ容量および境界値の変更を行うバッファリング手段と、移動端末および移動端末の無線通信エリアの優先度情報を有し、境界値超過通知を受信した場合にバッファリング手段のバッファ容量と移動端末および無線通信エリアの優先度情報とを考慮してバッファリング手段に対してバッファ容量および境界値の変更を指示する管理手段と、バッファリング手段に対する境界値の設定、管理手段に対する優先度情報の設定、および外部の装置との各種情報の入出力を行なう情報設定・入出力手段と、を備えることを特徴とする。
【発明の効果】
【００１１】
この発明によれば、ネットワークの伝送装置内のバッファ手段に設けられた境界値やバッファ容量を移動端末や該移動端末の無線通信エリア優先度に応じて変更することで、伝送装置のバッファの使用形態を動的に変更することが可能となり、データ伝送の輻輳時においてもバッファ手段を有効に活用することができ、データの損失を効果的に防止することができる、という効果を奏する。
【発明を実施するための最良の形態】
【００１２】
以下、本発明にかかる伝送システムの実施の形態を図面に基づいて詳細に説明する。なお、本発明は以下の記述に限定されるものではなく、本発明の要旨を逸脱しない範囲において適宜変更可能である。
【００１３】
実施の形態１．
図１は、この発明の実施の形態１にかかる伝送システムであるパケット伝送システムの概略構成を説明するブロック図である。図１に示すように、本実施の形態にかかるパケット伝送システムは、複数個の移動端末１９と、複数の移動端末１９を収容してこれらの移動端末と無線通信プロトコルで通信可能な基地局（アクセスポイント）１８と、複数のアクセスポイント１８と通信プロトコルで通信可能な伝送装置１０と、を備えて構成される。図１においては、その一部である移動端末１９ａ、１９ｂ、１９ｃ、１９ｄ、１９ｅ、１９ｆと、アクセスポイント１８ａ、１８ｂと、伝送装置１０ａ、１０ｂと、を示している。
【００１４】
また、それぞれの伝送装置１０は、無線ネットワークに於けるコネクション接続およびデータ転送の制御を行い、移動管理部１１と、バッファリング部１２と、外部入出力部１３と、転送テーブル１５と、入出力部１６と、を有して構成されている。
【００１５】
移動管理部１１は、移動端末１９および無線通信エリア１７の優先度情報を有し、移動端末１９が所属する無線通信エリア１７の情報を収集して管理し、バッファリング部１２からの境界値超過通知を受信した場合に、移動端末１９および無線通信エリア１７の優先度を考慮し、バッファリング部１２に対してバッファ容量と境界値の変更を指示する管理手段である。
【００１６】
バッファリング部１２は、移動端末１９がパケット通信を行なわない受け待ち状態にある間、所定のバッファ容量および境界値で該移動端末１９宛のデータを一時的に保持し、保持するデータ量が、設定された所定の境界値を超過した場合に、保持するデータ量が所定の境界値を超過した旨の境界値超過通知を生成して移動管理部１１に送信し、移動管理部１１からのバッファ容量および境界値の変更指示に従ってバッファ容量および境界値の変更を行うバッファリング手段である。
【００１７】
外部入出力部１３は、バッファリング部１２に対する境界値の設定、移動管理部１１に対する優先度情報の設定、および管理者１４等の外部の装置との各種情報の入出力を行なう情報設定・入出力手段である。
【００１８】
転送テーブル１５は、伝送装置１０に入力されたパケットの転送先を決定するための、宛先移動端末情報と転送先との対応情報を保持する転送先情報保持手段であり、伝送装置１０は該転送テーブル１５を参照することによりパケットの転送先を決定する。入出力部１６は、伝送装置１０に伝送されたパケットの入力処理および出力処理を行う。
【００１９】
以上のような本実施の形態にかかるパケット伝送システムにおいては、ある移動端末１９ｘが他の移動端末１９ｙと通信する場合には、移動端末１９ｘは自装置が収容されるアクセスポイント１８と無線回線によりパケットデータ通信を行う。そして、アクセスポイント１８に送信されたパケットデータは、有線回線により伝送装置１０に転送され、該伝送装置１０を経由して移動端末１９ｙに転送される。たとえば図１において移動端末１９ａが移動端末１９ｄと通信する場合には、アクセスポイント１８ａ、伝送装置１０ａ、伝送装置１０ｂおよびアクセスポイント１８ｂを経由してパケットデータが移動端末１９ａから移動端末１９ｄに転送される。
【００２０】
伝送装置１０に入力されたパケットデータは、入出力部１６に入力される。そして、入出力部１６では、入力されたパケットデータから宛先移動端末情報を抽出し、転送テーブル１５と照合してパケットデータの転送先を決定し、つぎに転送すべき伝送装置１０またはアクセスポイント１８にパケットデータを転送する。
【００２１】
また、ある移動端末１９ｘが通信状態から待ち受け状態に変化した場合、移動端末１９ｘは伝送装置１０に対して自装置が通信状態から受け待ち状態に変化した旨の状態変化通知を送信する。状態変化通知は、通常のパケットデータと同様にアクセスポイント１８および伝送装置１０を経由して、他の伝送装置１０に到達する。伝送装置１０の入出力部１６において状態変化通知であると判断されたデータは、移動管理部１１に送信される。移動管理部１１は、移動端末１９の状態を移動端末１９毎、または無線通信エリア１７毎に管理しており、移動端末１９からの状態変化通知により、管理情報をその都度、変更する。
【００２２】
ある移動端末１９ｘからの状態変化通知を受け取ることにより移動管理部１１における移動端末１９ｘの状態が待ち受けに変化した場合、移動管理部１１は転送テーブル変更通知を自装置の転送テーブル１５と各伝送装置１０の転送テーブル１５に送信する。転送テーブル変更通知を受信した伝送装置１０は、待ち受け状態に変化した移動端末１９ｘ宛のテーブルを伝送装置１０宛に変更する。これにより、待ち受け状態に変化した移動端末１９ｘ宛のパケットデータは伝送装置１０宛に転送されることになる。
【００２３】
そして、伝送装置１０宛に転送されたパケットデータは、伝送装置１０宛の入出力部１６において、移動端末１９毎、または無線通信エリア１７毎に分類されて伝送装置１０宛のバッファリング部１２に蓄積される。
【００２４】
一方、ある移動端末１９ｘが待ち受け状態から通信状態に変化した場合には、該移動端末１９ｘは伝送装置１０に対して自装置が受け待ち状態から通信状態に変化した旨の状態変化通知を送信する。状態変化通知は、通常のパケットデータと同様にアクセスポイント１８および伝送装置１０を経由して、他の伝送装置１０に到達する。伝送装置１０の入出力部１６において状態変化通知であると判断されたデータは、移動管理部１１に送信される。移動管理部１１は、移動端末１９ｘの状態の変化を管理データに反映し、バッファリング部１２に移動端末１９ｘの状態変化を通知する。
【００２５】
状態変化を受信したバッファリング部１２は、通信状態に変化した移動端末１９ｘ宛として蓄積していたデータを、入出力部１６より伝送装置１０に送信する。
【００２６】
以上のようにして、伝送装置１０で移動端末１９の状態を管理し、伝送装置１０の転送テーブル１５の宛先を書き換え、伝送装置１０でパケットデータを蓄積・再送信することにより、移動端末１９の状態変化に影響を受けずに移動端末１９間のパケットデータ通信が可能になる。
【００２７】
つぎに、移動端末１９毎、または無線通信エリア１７毎にバッファリング部１２にデータが蓄積されたときの動作について図２に示すシーケンス図を参照しながら説明する。まず、予め管理者１４が外部入出力部１３を経由して移動端末１９毎、または無線通信エリア１７毎に移動管理部１１に対して設定情報として優先度の値を指定する（ステップＳ１０１）。移動管理部１１では、指定された設定情報を設定し（ステップＳ１０２）、設定応答を返信する（ステップＳ１０３）。
【００２８】
また、バッファリング部１２には、外部入出力部１３を経由して移動端末１９毎、または無線通信エリア１７毎のバッファに対して、設定情報としてバッファ容量およびバッファの最大値よりも値の小さい境界値が、予め管理者１４により指定される（ステップＳ１０４）。バッファリング部１２では、指定された設定情報を設定し（ステップＳ１０５）、設定応答を送信する（ステップＳ１０６）。
【００２９】
そして、この状態で移動端末１９毎、または無線通信エリア１７毎にバッファリング部１２にデータが蓄積される（ステップＳ１０７）。ここで、バッファリング部１２において、ある移動端末１９ｘのデータ量がバッファに設定したバッファ境界値を超過した場合、移動管理部１１に対してバッファ境界値超過通知を送信する（ステップＳ１０８）。
【００３０】
伝送装置１０では、移動管理部１１において移動端末１９ｘのバッファ境界値超過通知を受信した場合、該移動端末１９ｘの優先度、バッファ容量をパラメータとして、判定アルゴリズムを用いてバッファ容量変更通知、境界値変更通知を生成する（ステップＳ１０９）。
【００３１】
ここで、判定アルゴリズムの一例を示す。たとえば、移動端末１９ａ、移動端末１９ｂ、移動端末１９ｃが存在し、それぞれの移動端末の優先度が１、２、３と設定されている場合について考える。バッファ全体の容量を１００とした場合、それぞれの移動端末のバッファ容量を下記の計算式により算出する。
【００３２】
（移動端末１９ｘのバッファ容量）＝（各移動端末の優先度）＊｛（移動端末の優先度の合計）／（バッファ全体の容量）｝
【００３３】
上記の計算式に従ってそれぞれの移動端末のバッファ容量を計算すると、それぞれの移動端末のバッファ容量は、移動端末１９ａ＝１６、移動端末１９ｂ＝３２、移動端末１９ｃ＝４８、となる。また、境界値の超過回数をカウントし、所定の超過回数を超えた場合で、所定の超過回数より少ない移動端末が存在する場合には、超過回数の少ない移動端末のバッファ容量を超過回数の超えた移動端末に一時的に割り当てる動作を行なう。
【００３４】
さらに、超過回数が所定の超過回数よりも多い移動端末の境界値は、前回に設定した境界値よりも小さい値に設定することにより、事前にバッファ溢れの可能性を検知できる。
【００３５】
判定アルゴリズムに基づきバッファ容量の変更値が決定した後、移動管理部１１は移動端末１９ｘのバッファ容量変更通知をバッファリング部１２に送信する（ステップＳ１１０）。バッファリング部１２は、移動端末１９ｘのバッファ容量変更通知を受け取り、バッファ容量の変更処理を行った後（ステップＳ１１１）、変更処理応答を移動管理部１１に対して送信する（ステップＳ１１２）。
【００３６】
同様に、移動管理部１１は移動端末１９ｘの境界値変更通知をバッファリング部１２に送信する（ステップＳ１１３）。バッファリング部１２は、移動端末１９ｘの境界値変更通知を受け取り、該境界値変更通知に従って境界値の変更処理を行った後（ステップＳ１１４）、変更処理応答を移動管理部１１に対して送信する（ステップＳ１１５）。
【００３７】
上述したように、本実施の形態にかかるパケット伝送システムにおいては、伝送装置１０に移動端末１９毎または無線通信エリア１７毎のデータを保持し、またバッファリング部１２におけるバッファ容量や境界値を、移動端末や該移動端末の無線通信エリア優先度に応じて変更することで、バッファリング部１２の使用形態を動的に変更することが可能となり、データ伝送の輻輳時においてもバッファリング部１２を有効に活用することができ、且つデータの損失を効果的に防止することができる。
【００３８】
実施の形態２．
実施の形態２では、移動端末１９のバッファ容量変更通知や境界値変更通知を生成する際のパラメータに、各移動端末１９のバッファ使用量を追加した場合について図３を参照して説明する。実施の形態２にかかるパケット伝送システムの構成は、上述した実施の形態１の場合と同様であるので、図１および上記の説明を参照することとして、ここでは詳細な説明は省略する。
【００３９】
以下、移動端末１９毎、または無線通信エリア１７毎にバッファリング部１２にデータが蓄積されたときの動作について図２に示すシーケンス図を参照しながら説明する。まず、予め管理者１４が外部入出力部１３を経由して移動端末１９毎、または無線通信エリア１７毎に移動管理部１１に対して設定情報として優先度の値を指定する（ステップＳ２０１）。移動管理部１１では、指定された設定情報を設定し（ステップＳ２０２）、設定応答を返信する（ステップＳ２０３）。
【００４０】
また、バッファリング部１２には、外部入出力部１３を経由して移動端末１９毎、または無線通信エリア１７毎のバッファに対して、設定情報としてバッファ容量およびバッファの最大値よりも値の小さい境界値が、予め管理者１４により指定される（ステップＳ２０４）。バッファリング部１２では、指定された設定情報を設定し（ステップＳ２０５）、設定応答を送信する（ステップＳ２０６）。
【００４１】
そして、この状態で移動端末１９毎、または無線通信エリア１７毎にバッファリング部１２にデータが蓄積される（ステップＳ２０７）。ここで、バッファリング部１２は、移動端末１９のデータ量がバッファに設定したバッファ境界値を超過する前に、予め各移動端末１９のバッファ使用量を移動管理部１１に送信する（ステップＳ２０８）。移動管理部１１では、判定アルゴリズムの判定基準に各移動端末１９のバッファ使用量を追加する。そして、バッファリング部１２において、ある移動端末１９ｘのデータ量がバッファに設定したバッファ境界値を超過した場合、移動管理部１１に対してバッファ境界値超過通知を送信する（ステップＳ２０９）。
【００４２】
伝送装置１０では、移動管理部１１において移動端末１９ｘのバッファ境界値超過通知を受信した場合、該移動端末１９ｘの優先度、バッファ容量、および各移動端末１９のバッファ使用量をパラメータとして、実施の形態１の場合と同様に判定アルゴリズムを用いてバッファ容量変更通知、境界値変更通知を生成する（ステップＳ２１０）。例えば、所定のバッファ使用量以下の移動端末のバッファ領域を削減し、超過通知が行われた移動端末に対し、増加分として割り当てる。
【００４３】
判定アルゴリズムに基づきバッファ容量の変更値が決定した後、移動管理部１１は移動端末１９ｘのバッファ容量変更通知をバッファリング部１２に送信する（ステップＳ２１１）。バッファリング部１２は、移動端末１９ｘのバッファ容量変更通知を受け取り、バッファ容量の変更処理を行った後（ステップＳ２１２）、変更処理応答を移動管理部１１に対して送信する（ステップＳ２１３）。
【００４４】
同様に、移動管理部１１は移動端末１９ｘの境界値変更通知をバッファリング部１２に送信する（ステップＳ２１４）。バッファリング部１２は、移動端末１９ｘの境界値変更通知を受け取り、該境界値変更通知に従って境界値の変更処理を行った後（ステップＳ２１５）、変更処理応答を移動管理部１１に対して送信する（ステップＳ２１６）。
【００４５】
上述したように、本実施の形態にかかるパケット伝送システムにおいては、実施の形態１において説明したパケット伝送システムにおいては、バッファリング部１２がいずれかの移動端末１９のデータ量がバッファに設定したバッファ境界値を超過する前に予め各移動端末１９のバッファ使用量を移動管理部１１に送信することで、移動管理部１１が予め各位道端末１９のバッファ使用量を把握することができる。そして、ある移動端末１９ｘのデータ量がバッファに設定したバッファ境界値を超過した場合には、移動管理部１１は予め各位道端末１９のバッファ使用量を把握した上で、該移動端末１９ｘの優先度、バッファ容量、および各移動端末１９のバッファ使用量をパラメータとして、判定アルゴリズムを用いてバッファ容量変更通知、境界値変更通知を生成する。これにより、本実施の形態にかかるパケット伝送システムにおいては、バッファの使用効率を向上させ、バッファを有効に活用することが可能となる。
【００４６】
実施の形態３．
図４は、実施の形態３にかかるパケット伝送システムの概略構成を説明するブロック図である。本実施の形態にかかるパケット伝送システムは、実施の形態１にかかるパケット伝送システムの伝送装置にミラーリング部が追加された構成とされている。すなわち、本実施の形態にかかるパケット伝送システムは、図４に示すように複数個の移動端末１９と、複数の移動端末１９を収容してこれらの移動端末と無線通信プロトコルで通信可能なアクセスポイント１８と、複数のアクセスポイント１８と通信プロトコルで通信可能な伝送装置３０と、を備えて構成される。
【００４７】
そして、それぞれの伝送装置３０は、移動管理部１１と、バッファリング部１２と、外部入出力部１３と、転送テーブル１５と、入出力部１６と、ミラーリング部４１と、を有している。ここで、ミラーリング部４１は、たとえば所定の優先度以上の優先度が設定された移動端末およびエリアに対し、データのコピーを保存する機能を有する。ここで。ミラーリング部４１に設けられたある優先度以上の移動端末１９のバッファ領域はバッファリング部１２よりも大きい値とされる。
【００４８】
なお、データのコピーを保存する移動端末１９および無線通信エリア１７の選定条件は特に限定されるものではなく、適宜自由に変更可能である。したがって、特定の移動端末１９のみを選定しても良く、また、特定の無線通信エリア１７のみを選定しても良い。また、本実施の形態にかかるパケット伝送システムの構成において、実施の形態１の場合と同様の構成については同じ符号を付して上記の説明を参照することとして、ここでは詳細な説明は省略する。
【００４９】
本実施の形態にかかるパケット伝送システムは、移動端末１９毎、または無線通信エリア１７毎にバッファリング部１２にデータが蓄積されたときの動作については、上述した実施の形態１にかかるパケット伝送システムと同様である。ただし、異なる点として、本実施の形態にかかるパケット伝送システムでは、移動端末１９毎、または無線通信エリア１７毎にバッファリング部１２にデータが蓄積された際に（図２のステップＳ１０７参照）、移動管理部１１においては、たとえば所定の優先度以上の優先度が設定された移動端末１９および無線通信エリア１７に対して、データのコピーをミラーリング部４１に保存する。また、ミラーリング部４１に設けられた所定の優先度以上の移動端末１９のバッファ領域はバッファリング部１２よりも大きい値とされている。
【００５０】
ここで、バッファリング部１２で、ある移動端末１９ｘのデータ量がバッファに設定したバッファ境界値を超過し、バッファ領域が変更される前にバッファの最大容量を超過した場合には、バッファに蓄積できないデータは廃棄されてしまう。そこで、本実施の形態にかかるパケット伝送システムでは、該廃棄されたデータに関しては、ミラーリング部４１に保存された該当するデータが移動端末１９ｘに送信される。
【００５１】
上述したように、本実施の形態にかかるパケット伝送システムにおいては、所定の選定条件で選定した移動端末１９および無線通信エリア１７、たとえば優先度の高い移動端末１９および無線通信エリア１７宛のデータのコピーをミラーリング部４１に保存しておく。これにより、所定の移動端末１９および無線通信エリア１７、たとえば優先度の高い移動端末１９および無線通信エリア１７宛のデータに関して、バッファ領域の変更前のオーバーフローによるパケットロスを効果的に低減することが可能となる。
【００５２】
実施の形態４．
実施の形態４では、移動端末１９のバッファ容量変更通知と境界値変更通知とをバッファリング部１２に通知する際にメッセージを重畳する場合について図５を参照して説明する。実施の形態４にかかるパケット伝送システムの構成は、上述した実施の形態１の場合と同様であるので、図１および上記の説明を参照することとして、ここでは詳細な説明は省略する。
【００５３】
以下、移動端末１９毎、または無線通信エリア１７毎にバッファリング部１２にデータが蓄積されたときの動作について図５に示すシーケンス図を参照しながら説明する。まず、予め管理者１４が外部入出力部１３を経由して移動端末１９毎、または無線通信エリア１７毎に移動管理部１１に対して設定情報として優先度の値を指定する（ステップＳ４０１）。移動管理部１１では、指定された設定情報を設定し（ステップＳ４０２）、設定応答を返信する（ステップＳ４０３）。
【００５４】
また、バッファリング部１２には、外部入出力部１３を経由して移動端末１９毎、または無線通信エリア１７毎のバッファに対して、設定情報としてバッファ容量およびバッファの最大値よりも値の小さい境界値が、予め管理者１４により指定される（ステップＳ４０４）。バッファリング部１２では、指定された設定情報を設定し（ステップＳ４０５）、設定応答を送信する（ステップＳ４０６）。
【００５５】
そして、この状態で移動端末１９毎、または無線通信エリア１７毎にバッファリング部１２にデータが蓄積される（ステップＳ４０７）。ここで、バッファリング部１２は、移動端末１９のデータ量がバッファに設定したバッファ境界値を超過する前に、予め各移動端末１９のバッファ使用量を移動管理部１１に送信する（ステップＳ４０８）。移動管理部１１では、判定アルゴリズムの判定基準に各移動端末１９のバッファ使用量を追加する。そして、バッファリング部１２において、ある移動端末１９ｘのデータ量がバッファに設定したバッファ境界値を超過した場合、移動管理部１１に対してバッファ境界値超過通知を送信する（ステップＳ４０９）。
【００５６】
伝送装置１０では、移動管理部１１において移動端末１９ｘのバッファ境界値超過通知を受信した場合、該移動端末１９ｘの優先度、バッファ容量、および各移動端末１９のバッファ使用量をパラメータとして、実施の形態１の場合と同様に判定アルゴリズムを用いてバッファ容量変更通知、境界値変更通知を生成する（ステップＳ４１０）。例えば、所定のバッファ使用量以下の移動端末のバッファ領域を削減し、超過通知が行われた移動端末に対し、増加分として割り当てる。
【００５７】
判定アルゴリズムに基づきバッファ容量の変更値が決定した後、移動管理部１１は移動端末１９ｘのバッファ容量変更通知と境界値変更通知とを重畳してバッファリング部１２に送信する（ステップＳ４１１）。バッファリング部１２は、移動端末１９ｘのバッファ容量変更通知と境界値変更通知とを受け取り、バッファ容量の変更処理を行った後（ステップＳ４１２）、変更処理応答を移動管理部１１に対して送信する（ステップＳ４１３）。
【００５８】
そして、バッファリング部１２は、該境界値変更通知に従って境界値の変更処理を行った後（ステップＳ４１４）、変更処理応答を移動管理部１１に対して送信する（ステップＳ４１５）。
【００５９】
上述したように、本実施の形態にかかるパケット伝送システムにおいては、移動管理部１１からバッファリング部１２へバッファ容量変更通知と境界値変更通知とを送信する際に、これらの変更通知を重畳する。これにより、伝送装置内のブロック間のトラフィックを軽減することが可能である。
【００６０】
以上説明したとおり、この発明によれば、移動端末の通信を可能にするネットワークにおいて、移動端末の通信状態の変化に応じてバッファリングを行なう伝送装置のバッファに移動端末とエリアの優先度および境界値を導入し、判定アルゴリズムに従ってバッファ容量と境界値を動的に設定することにより、移動端末およびエリアの優先度に応じてバッファを効率的に使用することが可能となる。また、データ伝送が輻輳した場合においてもバッファ手段を有効に活用し、データの損失を防止することができる。
【産業上の利用可能性】
【００６１】
以上のように、本発明にかかる伝送システムは、移動端末と基地局と伝送装置とを備えて構成される伝送システムに有用であり、特に、データ伝送量が多い伝送システムに適している。
【図面の簡単な説明】
【００６２】
【図１】本発明の実施の形態１にかかるパケット伝送システム装置の概略構成を説明するブロック図である。
【図２】本発明の実施の形態１にかかるパケット伝送装置の動作概略を示すシーケンス図である。
【図３】本発明の実施の形態２にかかるパケット伝送装置の動作概略を示すシーケンス図である。
【図４】本発明の実施の形態３にかかるパケット伝送装置の概略構成を示すブロック図である。
【図５】本発明の実施の形態４にかかるパケット伝送装置の動作概略を示すシーケンス図である。
【符号の説明】
【００６３】
１０ａ、１０ｂ  伝送装置
１１  移動管理部
１２  バッファリング部
１３  外部入出力部
１４  管理者
１５  転送テーブル
１６  入出力部
１７ａ、１７ｂ  無線通信エリア
１８ａ、１８ｂ  アクセスポイント
１９ａ、１９ｂ、１９ｃ、１９ｄ、１９ｅ、１９ｆ、１９ｘ、１９ｙ  移動端末
【図１】
2006295609.tif 000003
【図２】
2006295609.tif 000004
【図３】
2006295609.tif 000005
【図４】
2006295609.tif 000006
【図５】
2006295609.tif 000007